(57)【特許請求の範囲】
【請求項１】
住戸外に設置され来訪者が住戸内の在室者を呼出して通話を行うとともに住戸玄関に設置された電気錠を解錠させるために予め定められた電気錠解錠コードを有するインターホン子機と、前記住戸内に設置され前記来訪者からの呼出しに応答した前記在室者が通話を行う複数のインターホン親機とを有するインターホンシステムであって、
前記複数のインターホン親機はそれぞれ、前記在室者がワンプッシュ操作を行い前記電気錠の解錠を行う第１の解錠操作部と、前記在室者が前記電気錠解錠コードに対応する置数を入力して前記電気錠の解錠を行う第２の解錠操作部と、当該親機の設置場所に対応させて前記第１の解錠操作部の操作機能を能動又は非能動とし、前記第１の解錠操作部の操作時には前記電気錠解錠コードを、前記第２の解錠操作部の操作時には前記置数をそれぞれ前記インターホン子機に送出する親機ＣＰＵとを備え、
前記インターホン子機は、前記複数のインターホン親機の前記親機ＣＰＵから送信されてくる前記電気錠解錠コード又は前記置数が有効であるか否かを判別し、有効であるときに前記電気錠の解錠を行う子機ＣＰＵを備えることを特徴とするインターホンシステム。
【請求項２】
前記第１の解錠操作部は、ＬＥＤ等の発光体を有し、
前記複数のインターホン親機の前記親機ＣＰＵは、前記第１の解錠操作部の操作機能が能動であるとき前記発光体の強調表示を行うことを特徴とする請求項１記載のインターホンシステム。
【請求項３】
前記インターホン子機及び前記複数のインターホン親機間は、ＬＡＮ等の汎用ネットワークを経由して相互に接続され、前記汎用ネットワークを経由して前記第１の解錠操作部の操作機能の能動又は非能動を設定することを特徴とする請求項１又は請求項２記載のインターホンシステム。
【発明の詳細な説明】
【技術分野】
【０００１】
本発明は、住戸玄関に設置された電気錠の解錠を行うインターホンシステムに係り、特に、電気錠の解錠操作が行われるインターホン親機の設置場所に対応させて、能動とされる操作機能を変更可能なインターホンシステムに関する。
【背景技術】
【０００２】
従来から、この種のインターホンシステムとして、集合住宅のエントランスに設置された（カメラ付）集合玄関機に接続される電気錠付きオートドアの電気錠を解錠させるための解錠ボタンが、集合住宅内の各住戸内に設置された居室親機に備えられ、この解錠ボタンをワンプッシュ操作することで電気錠が解錠される集合住宅インターホンシステムが開示されている（例えば、特許文献１を参照）。
【先行技術文献】
【特許文献】
【０００３】
【特許文献１】特開２００３−２２４６６９号公報
【発明の概要】
【発明が解決しようとする課題】
【０００４】
背景技術に記載の集合住宅インターホンシステムによれば、電気錠を解錠させるための解錠ボタンがワンプッシュ操作に限定されているため、その操作タイミングが、来訪者からの呼出しに応答した通話時であれば当該来訪者を判別した後であることからセキュリティ（防犯性）を十分に確保できる一方、例えば、来訪者からの呼出しがない待受時等であると、当該来訪者を判別した後のタイミングでないためにセキュリティを十分に確保できないおそれがあった。
【０００５】
本発明は、この難点を解消するためになされたもので、電気錠を解錠するために能動とされる操作機能をインターホン親機の設置場所に対応させて変更可能とすることで、電気錠の解錠操作時のセキュリティを十分に確保するとともに、解錠操作を行う在室者の使い勝手を高めたインターホンシステムを提供することを目的としている。
【課題を解決するための手段】
【０００６】
前述の目的を達成するため、本発明の第１の態様であるインターホンシステムは、住戸外に設置され来訪者が住戸内の在室者を呼出して通話を行うとともに住戸玄関に設置された電気錠を解錠させるために予め定められた電気錠解錠コードを有するインターホン子機と、住戸内に設置され来訪者からの呼出しに応答した在室者が通話を行う複数のインターホン親機とを有する当該システムである。複数のインターホン親機はそれぞれ、在室者がワンプッシュ操作を行い電気錠の解錠を行う第１の解錠操作部と、在室者が電気錠解錠コードに対応する置数を入力して電気錠の解錠を行う第２の解錠操作部と、当該親機の設置場所に対応させて第１の解錠操作部の操作機能を能動又は非能動とし、第１の解錠操作部の操作時には電気錠解錠コードを、第２の解錠操作部の操作時には置数をそれぞれインターホン子機に送出する親機ＣＰＵとを備えている。インターホン子機は、複数のインターホン親機の親機ＣＰＵから送信されてくる電気錠解錠コード又は置数が有効であるか否かを判別し、有効であるときに電気錠の解錠を行う子機ＣＰＵを備えている。
【０００７】
この態様のインターホンシステムによれば、在室者がワンプッシュ操作を行い電気錠の解錠を行う第１の解錠操作部と、在室者が電気錠を解錠させるために予め定められた電気錠解錠コードに対応する置数を入力して当該電気錠の解錠を行う第２の解錠操作部のように、電気錠の解錠操作が行われるインターホン親機の設置場所に対応させて、能動とされる操作機能を変更することができる。
【０００８】
また、本発明の第２の態様であるインターホンシステムは、本発明の第１の態様において、第１の解錠操作部は、ＬＥＤ等の発光体を有している。複数のインターホン親機の親機ＣＰＵは、第１の解錠操作部の操作機能が能動であるとき発光体の強調表示を行うものである。
【０００９】
この態様のインターホンシステムによれば、ワンプッシュ操作で電気錠の解錠を行う第１の解錠操作部にかかる操作機能が能動であることを、ＬＥＤ等の発光体を強調表示させるように視覚的報知手段を用いて在室者に確認させることにより、解錠操作を行う在室者の使い勝手が高められる。
【００１０】
また、本発明の第３の態様であるインターホンシステムは、本発明の第１の態様又は第２の態様において、インターホン子機及び複数のインターホン親機間は、ＬＡＮ等の汎用ネットワークを経由して相互に接続され、汎用ネットワークを経由して第１の解錠操作部の操作機能の能動又は非能動を設定するものである。
【００１１】
この態様のインターホンシステムによれば、電気錠の解錠操作が行われるインターホン親機の設置場所に対応させて、能動とされる操作機能の設定を、インターホン子機及びインターホン親機間を相互に接続するＬＡＮ等の汎用ネットワークを経由して、例えば、パーソナルコンピュータ（ＰＣ）等の外部機器の使用により行うことができる。
【発明の効果】
【００１２】
本発明のインターホンシステムによれば、例えば、在室者が来訪者との間で成立中の通話時においてワンプッシュ操作により電気錠の解錠を行う操作機能と、通話時のみならず例えば、待受時等において電気錠を解錠させるために予め定められた電気錠解錠コードに対応する置数を入力して当該電気錠の解錠を行う操作機能のように、電気錠の解錠操作が行われるインターホン親機の設置場所に対応させて、能動とされる操作機能を変更することができるため、セキュリティが十分に確保されるとともに、解錠操作を行う在室者の使い勝手が高められる。
【図面の簡単な説明】
【００１３】
【図１】本発明の実施例によるインターホンシステムの具体的な構成を示すブロック図。
【発明を実施するための形態】
【００１４】
以下、本発明のインターホンシステムを適用した実施の形態例について、図面を参照して説明する。
【００１５】
図１は、本発明の実施例によるインターホンシステムの具体的な構成を示すブロック図である。このインターホンシステムは、住戸外、例えば、住戸玄関の周囲近傍に設置され来訪者が住戸内の在室者を呼出して通話を行うインターホン子機１と、住戸内の異なる場所に設置され来訪者からの呼出しに応答した在室者が通話を行う複数のインターホン親機、ここでは、部屋内、廊下先にそれぞれ設置される２台のインターホン親機（以下、第１、第２のインターホン親機という）２ａ、２ｂと、住戸玄関（の玄関戸）に設置された電気錠３と、インターホン子機１及び第１、第２のインターホン親機２ａ、２ｂ間を（相互に）接続するＬＡＮ（、ＷＡＮ）等の汎用ネットワーク４とを有している。
【００１６】
なお、同図において、インターホン子機１及び汎用ネットワーク４間、第１、第２のインターホン親機２ａ、２ｂ及び汎用ネットワーク４間はそれぞれ、図示のような有線による接続の態様に限定されるものではなく、不図示の無線による接続の態様も好適とされる。
【００１７】
次に、同図に示すインターホン子機１は、自子機に割当てられた識別符号としての例えば、ＩＰアドレス（以下、子機アドレスという）を有しており、子機操作部１０、映像撮像部１１、子機映像処理部１２、子機マイク１３、子機スピーカ１４、子機音声処理部１５、子機ＣＰＵ１６、ネットワーク側子機インターフェース（Ｉ／Ｆ）１７及び電気錠側子機Ｉ／Ｆ１８が備えられている。
【００１８】
このインターホン子機１において、子機操作部１０は、来訪者が在室者を呼出すための呼出操作を行うものであって、例えば、呼出（押圧）ボタンで構成されている。また、映像撮像部１１は、来訪者の映像や住戸玄関の周囲近傍の映像（監視映像を含む）を撮像し、所定の信号処理により映像信号を生成するものであって、例えば、ＣＣＤ、ＣＭＯＳ等の各種の映像撮像媒体で構成されている。また、子機映像処理部１２は、映像撮像部１１で生成された映像信号についての信号処理、例えば、ＦＭ変調や信号増幅等を行うものである。なお、映像撮像部１１によれば、不図示の人体感知センサ等が有する人体感知機能に連動させて、インターホン子機１の周囲近傍に人体の存在が感知されたときに、その動作を能動として映像信号を生成することもできる。
【００１９】
子機マイク１３及び子機スピーカ１４は、来訪者が在室者との間で通話を行うための音声（音声信号）を入出力するものである。また、子機音声処理部１５は、子機マイク１３及び子機スピーカ１４の使用により入出力される音声（音声信号）についての信号処理、例えば、ＦＭ変調又はＦＭ復調や信号増幅等を行うものである。
【００２０】
子機ＣＰＵ１６は、当該インターホン子機の構成各部を制御するものであって、例えば、電気錠３を解錠させるにあたり予め定められた電気錠解錠コードが記憶されている。なお、電気錠解錠コードは、子機ＣＰＵ１６に記憶させた態様のみならず、不図示の記憶部に記憶して子機ＣＰＵ１６の制御により読出す態様を適用することもできる。
【００２１】
ネットワーク側子機Ｉ／Ｆ１７は、子機映像処理部１２から汎用ネットワーク４への信号伝送路、子機音声処理部１５及び汎用ネットワーク４間の信号伝送路、子機ＣＰＵ１６及び汎用ネットワーク４間の信号伝送路をそれぞれ形成し、形成された信号伝送路を経由して各種の信号を送受信するものである。また、電気錠側子機Ｉ／Ｆ１８は、子機ＣＰＵ１６及び電気錠３間の信号伝送路を形成し、形成された信号伝送路を経由して当該電気錠を解錠させるための解錠信号を送信するものである。
【００２２】
次に、同図に示す第１、第２のインターホン親機２ａ、２ｂはそれぞれ同様な構成であって、自親機に割当てられた識別符号としての例えば、ＩＰアドレス（以下、親機アドレスという）を有しており、通話操作部２０ａ、２０ｂ、第１の解錠操作部２１ａ、２１ｂ、第２の解錠操作部２２ａ、２２ｂ、表示部２３ａ、２３ｂ、親機映像処理部２４ａ、２４ｂ、親機マイク２５ａ、２５ｂ、親機スピーカ２６ａ、２６ｂ、親機音声処理部２７ａ、２７ｂ、親機ＣＰＵ２８ａ、２８ｂ及び親機Ｉ／Ｆ２９ａ、２９ｂが備えられている。
【００２３】
これら第１、第２のインターホン親機２ａ、２ｂにおいて、通話操作部２０ａ、２０ｂは、来訪者からの呼出しに在室者が応答して親機マイク２５ａ、２５ｂ及び親機スピーカ２６ａ、２６ｂの使用による通話を開始させる応答操作やその通話を終了させる終話操作が行われるものであって、例えば、通話（押圧）ボタンや表示部２３ａ、２３ｂの前面に配置されたタッチパネル上の操作ボタン（不図示）で構成されている。
【００２４】
第１の解錠操作部２１ａ、２１ｂは、在室者がワンプッシュ操作を行い電気錠３を解錠させるものであって、例えば、電気錠（押圧）ボタンで構成されており、この第１の解錠操作部２１ａ、２１ｂは、所定の発光色、例えば、赤色で点滅又は点灯されるＬＥＤ等の発光体２１０を有している。なお、発光体２１０の発光色は、赤色に限定されるものではなく、例えば、緑色、青色等の任意の色を適用することもでき、点滅又は点灯で切換えられる発光パターンに代えて発光色自体を変更させることもできる。
【００２５】
第２の解錠操作部２２ａ、２２ｂは、在室者が前述の電気錠解錠コードに対応する置数、例えば、予め定められた暗証番号やアルファベット等を入力して電気錠３を解錠させるものであって、例えば、所定の操作ボタン（テンキーボタン）や表示部２３ａ、２３ｂの前面に配置されたタッチパネル上の操作ボタン（テンキー、キーボード等、不図示）で構成されている。
【００２６】
表示部２３ａ、２３ｂは、インターホン子機１の映像撮像部１１で生成された映像信号を表示するものであって、例えば、ＬＣＤ、有機ＥＬディスプレイ等の各種の表示媒体で構成されており、この表示部２３ａ、２３ｂとしては、来訪者からの呼出しがあることを示す例えば、文字メッセージや絵データ等を表示することができるばかりでなく、前述の通話操作部２０ａ、２０ｂ、第２の解錠操作部２２ａ、２２ｂを（必要に応じて）表示することもできる。なお、表示部２３ａ、２３ｂは、来訪者からの呼出しがあることを所定の点滅パターンや点灯パターンで表示する例えば、ＬＥＤ（不図示）を適用することもできる。また、親機映像処理部２４ａ、２４ｂは、表示部２３ａ、２３ｂに表示される映像信号についての信号処理、例えば、ＦＭ復調や信号増幅等を行うものである。
【００２７】
親機マイク２５ａ、２５ｂ及び親機スピーカ２６ａ、２６ｂは、在室者が来訪者との間で通話を行うための音声（音声信号）を入出力するものであって、この親機スピーカ２６ａ、２６ｂとしては、来訪者からの呼出しがあることを示す例えば、呼出音や音声メッセージ等を出力することもできる。また、親機音声処理部２７ａ、２７ｂは、親機マイク２５ａ、２５ｂ及び親機スピーカ２６ａ、２６ｂの使用により入出力される音声（音声信号）についての信号処理、例えば、ＦＭ変調又はＦＭ復調や信号増幅等を行うものである。
【００２８】
親機ＣＰＵ２８ａ、２８ｂは、当該インターホン親機の構成各部を制御するものである。また、親機Ｉ／Ｆ２９ａ、２９ｂは、汎用ネットワーク４から親機映像処理部２４ａ、２４ｂへの信号伝送路、親機音声処理部２７ａ、２７ｂ及び汎用ネットワーク４間の信号伝送路、親機ＣＰＵ２８ａ、２８ｂ及び汎用ネットワーク４間の信号伝送路をそれぞれ形成し、形成された信号伝送路を経由して各種の信号を送受信するものである。
【００２９】
なお、同図に示す汎用ネットワーク４には、第１、第２のインターホン親機２ａ、２ｂの第１の解錠操作部２１ａ、２１ｂにかかる操作機能を、能動又は非能動に設定するための例えば、パーソナルコンピュータ（ＰＣ）等の外部機器５を接続することができる。
【００３０】
このように構成された本発明の実施例によるインターホンシステムにおいて、以下、具体的な動作について説明する。
【００３１】
最初に、図１に示す第１、第２のインターホン親機２ａ、２ｂによれば、その設置場所である例えば、部屋内、廊下先の相違に対応させて、電気錠３を解錠させるために必要で有効な操作機能を、汎用ネットワーク４に接続された外部機器５の使用により設定することができる。具体的に、外部機器５は、その使用により第１、第２のインターホン親機２ａ、２ｂの何れかを指定する親機アドレスと自機器のアドレス（機器アドレス）とを付加した例えば、ＳＩＰ対応の信号フォーマットの設定データ信号を生成する。この設定データ信号は、外部機器５から汎用ネットワーク４を経由して第１、第２のインターホン親機２ａ、２ｂの親機Ｉ／Ｆ２９ａ、２９ｂにそれぞれ伝送される。
【００３２】
第１、第２のインターホン親機２ａ、２ｂの親機ＣＰＵ２８ａ、２８ｂはそれぞれ、親機Ｉ／Ｆ２９ａ、２９ｂを経由して受信した設定データ信号に付加されている親機アドレスが自親機に割当てられた親機アドレスと一致するため、同様に付加されている機器アドレスに一致する外部機器５からの設定データ信号を有効な信号であると判定し、第１の解錠操作部２１ａ、２１ｂ及び第２の解錠操作部、２２ａ、２２ｂのうち何れかの操作機能を能動として設定する。ここでは、第１のインターホン親機２ａは部屋内に設置されているため、親機ＣＰＵ２８ａは、第１の解錠操作部２１ａの操作機能を能動、第２の解錠操作部２２ａの操作機能を非能動とする設定を行う。一方、第２のインターホン子機２ｂは廊下先に設置されているため、親機ＣＰＵ２８ｂは、第２の解錠操作部２２ｂの操作機能を能動、第１の解錠操作部２１ｂの操作機能を非能動とする設定を行う。
【００３３】
次に、前述のような第１の解錠操作部２１ａ、２１ｂ及び第２の解錠操作部２２ａ、２２ｂのうち何れかの操作機能が能動とされている第１、第２のインターホン子機２ａ、２ｂがそれぞれ、部屋内、廊下先に設置されている在室者を呼出すにあたり、住戸外（住戸玄関）に居る来訪者がインターホン子機１の子機操作部１０を使用して呼出操作を行うと、この操作を検出した子機ＣＰＵ１６は、例えば、ＳＩＰ対応の信号フォーマットで自子機アドレス及び第１、第２のインターホン親機２ａ、２ｂをそれぞれ指定する親機アドレスを付加した呼出信号を生成する。また、子機ＣＰＵ１６で生成された呼出信号は、ネットワーク側子機Ｉ／Ｆ１７から汎用ネットワーク４を経由して第１、第２のインターホン親機２ａ、２ｂの親機Ｉ／Ｆ２９ａ、２９ｂにそれぞれ伝送される。
【００３４】
また、インターホン子機１の子機ＣＰＵ１６によれば、前述の呼出操作を検出すると、映像撮像部１１及び子機映像処理部１２を能動とする。この制御により、映像撮像部１１で生成された来訪者の映像信号が、子機映像撮像部１２で例えば、ＦＭ変調や信号増幅等された後、ＳＩＰ対応の信号フォーマットで自子機アドレス及び第１、第２のインターホン親機２ａ、２ｂをそれぞれ指定する親機アドレスを付加した当該信号として、ネットワーク側子機Ｉ／Ｆ１７から汎用ネットワーク４を経由して第１、第２のインターホン親機２ａ、２ｂの親機Ｉ／Ｆ２９ａ、２９ｂにそれぞれ伝送される。
【００３５】
第１、第２のインターホン親機２ａ、２ｂの親機ＣＰＵ２８ａ、２８ｂはそれぞれ、親機Ｉ／Ｆ２９ａ、２９ｂを経由して受信した呼出信号に付加されている親機アドレスが自親機に割当てられた親機アドレスと一致するため、同様に付加されている子機アドレスに該当するインターホン子機で呼出操作を行った住戸外（住戸玄関）に居る来訪者からの呼出しがあることを検出し、その旨の呼出音や音声メッセージ等を親機スピーカ２６ａ、２６ｂから出力させて呼出報知を行うことができる。また、親機ＣＰＵ２８ａ、２８ｂはそれぞれ、表示部２３ａ、２３ｂ及び親機映像処理部２４ａ、２４ｂを能動とする。この制御により、親機映像処理部２４ａ、２４ｂは、親機Ｉ／Ｆ２９ａ、２９ｂを経由して受信した映像信号を例えば、ＦＭ復調や信号増幅等して表示部２３ａ、２３ｂに送出することで、来訪者の映像（映像信号）を表示部２３ａ、２３ｂに表示させることができるばかりでなく、この表示部２３ａ、２３ｂには、来訪者からの呼出しがあることを示す文字メッセージや絵データ等を表示（呼出表示）させることもできる。
【００３６】
この後、前述の呼出報知（呼出表示）及び映像表示を確認した、第１のインターホン親機２ａが設置された部屋内の在室者及び第２のインターホン親機２ｂが設置された廊下先の在室者のうち、最先に応答操作を行った人物として、例えば、第１のインターホン親機２ａが設置された部屋内の在室者が通話操作部２０ａを使用して応答操作を行うと、この操作を検出した親機ＣＰＵ２８ａは、親機音声処理部２７ａを能動として親機マイク２５ａ及び親機スピーカ２６ａと当該親機音声処理部を経由して親機Ｉ／Ｆ２９ａとの間の信号伝送路を形成するとともに、例えば、ＳＩＰ対応の信号フォーマットで自親機アドレス及びインターホン子機１を指定する子機アドレスを付加した応答信号（以下、第１の応答信号という）を生成する。また、親機ＣＰＵ２８ａで生成された第１の応答信号は、親機Ｉ／Ｆ２９ａから汎用ネットワーク４を経由してインターホン子機１のネットワーク側子機Ｉ／Ｆ１７に伝送される。
【００３７】
また、第１のインターホン親機２ａの親機ＣＰＵ２８ａは、前述の通話制御のみならず、第１の解錠ボタン２１ａ及び第２の解錠ボタン２２ａのうち何れかの操作機能が能動であるかを確認する。ここでは、前述のように第１の解錠操作部２１ａの操作機能のみを能動とする設定が予めなされているため、この解錠操作部２１ａが有する発光体２１０を所定の発光色、例えば、赤色で点滅させるように強調表示を行うことで、部屋内の在室者は、第１の解錠操作部２１ａの操作機能が能動、第２の解錠操作部２２ａの操作機能が非能動であることを確認できる。
【００３８】
なお、第１のインターホン親機２ａにおいて、第１の解錠操作部２１ａが有する発光体２１０を例えば、赤色で点滅させる親機ＣＰＵ２８ａによる制御タイミングは、通話操作部２０ａを使用して応答操作が行われた後のタイミングに限定されるものではなく、前述のような呼出報知（呼出表示）が行われたタイミングを適用することもできる。
【００３９】
インターホン子機１の子機ＣＰＵ１６は、ネットワーク側子機Ｉ／Ｆ１７を経由して受信した第１の応答信号に付加されている子機アドレスが自子機に割当てられた子機アドレスと一致するため、同様に付加されている親機アドレスに該当する第１のインターホン親機２ａで応答操作を行った部屋内の在室者による応答があったことを検出し、子機音声処理部１５を能動として子機マイク１３及び子機スピーカ１４と当該子機音声処理部を経由してネットワーク側子機Ｉ／Ｆ１７との間の信号伝送路を形成することで、来訪者が使用する子機マイク１３及び子機スピーカ１４と部屋内の在室者が使用する親機マイク２５ａ及び親機スピーカ２６ａとの間の信号伝送路、すなわち、通話路（以下、第１の通話路という）が形成され、形成された第１の通話路を経由して音声信号を送受信することで通話が成立する。なお、この通話時において部屋内の在室者は、表示部２３ａに表示されている来訪者の映像（映像信号）を確認しながらの通話が可能となる。
【００４０】
また、部屋内の在室者によれば、前述のような通話時において住戸外（住戸玄関）に居る来訪者を住戸内に招き入れるにあたり、第１のインターホン親機２ａでその発光体２１０が例えば、赤色に点滅している第１の解錠操作部２１ａを使用してワンプッシュ操作の解錠操作を行う。この操作を検出した親機ＣＰＵ２８ａは、その操作情報である例えば、電気錠解錠コードと自親機アドレス及びインターホン子機１を指定する子機アドレスとを付加した例えば、ＳＩＰ対応の信号フォーマットの解錠起動制御信号（以下、第１の解錠起動制御信号という）を生成する。また、親機ＣＰＵ２８ａで生成された第１の解錠起動制御信号は、前述の第１の応答信号と同様な信号伝送路を経由してインターホン子機１のネットワーク側子機Ｉ／Ｆ１７に伝送される。
【００４１】
インターホン子機１の子機ＣＰＵ１６は、ネットワーク側子機Ｉ／Ｆ１７を経由して受信した第１の解錠起動制御信号に付加されている子機アドレスが自子機に割当てられた子機アドレスと一致するばかりでなく、同様に付加されている操作情報である電気錠解錠コードが、自子機に予め定められた電気錠解錠コードが一致することで当該信号が有効であると判別し、電気錠３を解錠させるための電気錠信号を生成する。この電気錠信号が子機ＣＰＵ１６から電気錠側子機Ｉ／Ｆ１８を経由して送信されてくる電気錠３は解錠され、住戸外（住戸玄関）に居る来訪者は、電気錠３が解錠された玄関戸を開けて住戸内に入ることができる。
【００４２】
また、電気錠３の解錠を検出したインターホン子機１の子機ＣＰＵ１６は、例えば、ＳＩＰ対応の信号フォーマットで自子機アドレス及び第１のインターホン親機２ａを指定する親機アドレスを付加した解錠確認制御信号（以下、第１の解錠確認制御信号という）を生成する。また、子機ＣＰＵ１６で生成された第１の解錠確認制御信号は、前述の呼出信号と同様な信号伝送路を経由して伝送され、当該親機アドレスが一致する第１のインターホン親機２ａの親機ＣＰＵ２８ａにおいて有効な当該信号であるとして受信される。この親機ＣＰＵ２８ａは、予め赤色に点滅している第１の解錠操作部２１ａが有する発光体２１０を、例えば、赤色の点灯に変更することで、部屋内の在室者は、電気錠３が正常に解錠されたことを確認できる。
【００４３】
なお、部屋内の在室者によれば、前述のような電気錠３を解錠させるための解錠操作を第１のインターホン親機２ａの第１の解錠操作部２１ａを使用して行った後のタイミングで、通話操作部２０ａを使用して終話操作を行うと、この操作を検出した親機ＣＰＵ２８ａ及びインターホン子機１の子機ＣＰＵ１６の制御によって前述の第１の通話路が遮断され通話を終了させることができる。
【００４４】
一方、最先に応答操作を行った人物として、例えば、第２のインターホン親機２ｂが設置された廊下先の在室者が通話操作部２０ｂを使用して応答操作を行うと、この操作を検出した親機ＣＰＵ２８ｂは、親機音声処理部２７ｂを能動として親機マイク２５ｂ及び親機スピーカ２６ｂと当該親機音声処理部を経由して親機Ｉ／Ｆ２９ｂとの間の信号伝送路を形成するとともに、例えば、ＳＩＰ対応の信号フォーマットで自親機アドレス及びインターホン子機１を指定する子機アドレスを付加した応答信号（以下、第２の応答信号という）を生成する。また、親機ＣＰＵ２８ｂで生成された第２の応答信号は、親機Ｉ／Ｆ２９ｂから汎用ネットワーク４を経由してインターホン子機１のネットワーク側子機Ｉ／Ｆ１７に伝送される。
【００４５】
また、第２のインターホン親機２ｂの親機ＣＰＵ２８ｂは、前述の通話制御のみならず、第１の解錠ボタン２１ｂ及び第２の解錠ボタン２２ｂのうち何れかの操作機能が能動であるかを確認する。ここでは、前述のように第２の解錠操作部２２ｂの操作機能のみを能動とする設定が予めなされているため、第１の解錠操作部２１ｂが有する発光体２１０を消灯のまま保持する一方、第２の解錠操作部２２ｂの操作機能として、表示部２３ｂの前面に配置されたタッチパネル上に操作ボタン（テンキー、キーボード等、不図示）を表示させることにより、廊下先の在室者は、第１の解錠操作部２１ｂの操作機能が非能動、第２の解錠操作部２２ｂの操作機能が能動であることを確認できる。
【００４６】
なお、第２のインターホン親機２ｂにおいて、表示部２３ｂの前面に配置されたタッチパネル上に操作ボタン（テンキー、キーボード等、不図示）を表示させる親機ＣＰＵ２８ｂによる制御タイミングは、通話操作部２０ｂを使用して応答操作が行われた後のタイミングに限定されるものではなく、前述のような呼出報知（呼出表示）が行われたタイミングを適用することもできる。
【００４７】
インターホン子機１の子機ＣＰＵ１６は、ネットワーク側子機Ｉ／Ｆ１７を経由して受信した第２の応答信号に付加されている子機アドレスが自子機に割当てられた子機アドレスと一致するため、同様に付加されている親機アドレスに該当する第２のインターホン親機２ｂで応答操作を行った廊下先の在室者による応答があったことを検出し、子機音声処理部１５を能動として子機マイク１３及び子機スピーカ１４と当該子機音声処理部を経由してネットワーク側子機Ｉ／Ｆ１７との間の信号伝送路を形成することで、来訪者が使用する子機マイク１３及び子機スピーカ１４と廊下先の在室者が使用する親機マイク２５ｂ及び親機スピーカ２６ｂとの間の信号伝送路、すなわち、通話路（以下、第２の通話路という）が形成され、形成された第２の通話路を経由して音声信号を送受信することで通話が成立する。なお、この通話時において廊下先の在室者は、表示部２３ｂに表示されている来訪者の映像（映像信号）を確認しながらの通話が可能となる。
【００４８】
また、廊下先の在室者によれば、前述のような通話時において住戸外（住戸玄関）に居る来訪者を住戸内に招き入れるにあたり、第２のインターホン親機２ｂの第２の解錠操作部２２ｂを使用して、前述の電気錠解錠コードに対応する置数であって例えば、予め定められた暗証番号又はアルファベット等を入力する解錠操作を行う。この操作を検出した親機ＣＰＵ２８ｂは、その操作情報である置数と自親機アドレス及びインターホン子機１を指定する子機アドレスとを付加した例えば、ＳＩＰ対応の信号フォーマットの解錠起動制御信号（以下、第２の解錠起動制御信号という）を生成する。また、親機ＣＰＵ２８ｂで生成された第２の解錠起動制御信号は、前述の第２の応答信号と同様な信号伝送路を経由してインターホン子機１のネットワーク側子機Ｉ／Ｆ１７に伝送される。
【００４９】
インターホン子機１の子機ＣＰＵ１６は、ネットワーク側子機Ｉ／Ｆ１７を経由して受信した第２の解錠起動制御信号に付加されている子機アドレスが自子機に割当てられた子機アドレスと一致するばかりでなく、同様に付加されている操作情報である置数が、自子機に予め定められた電気錠解錠コードに対応するものとして当該信号が有効であると判別し、電気錠３を解錠させるための電気錠信号を生成する。この電気錠信号が子機ＣＰＵ１６から電気錠側子機Ｉ／Ｆ１８を経由して送信されてくる電気錠３は解錠され、住戸外（住戸玄関）に居る来訪者は、電気錠３が解錠された玄関戸を開けて住戸内に入ることができる。
【００５０】
また、電気錠３の解錠を検出したインターホン子機１の子機ＣＰＵ１６は、例えば、ＳＩＰ対応の信号フォーマットで自子機アドレス及び第２のインターホン親機２ｂを指定する親機アドレスを付加した解錠確認制御信号（以下、第２の解錠確認制御信号という）を生成する。また、子機ＣＰＵ１６で生成された第２の解錠確認制御信号は、前述の呼出信号と同様な信号伝送路を経由して伝送され、当該親機アドレスが一致する第２のインターホン親機２ｂの親機ＣＰＵ２８ｂにおいて有効な当該信号であるとして受信される。この親機ＣＰＵ２８ｂは、電気錠３が正常に解錠された旨の例えば、文字メッセージや絵データ等を表示部２３ｂに表示することで、廊下先の在室者は、電気錠３が正常に解錠されたことを確認できる。
【００５１】
なお、廊下先の在室者によれば、前述のような電気錠３を解錠させるための解錠操作を第２のインターホン親機２ｂの第２の解錠操作部２１ｂを使用して行った後のタイミングで、通話操作部２０ｂを使用して終話操作を行うと、この操作を検出した親機ＣＰＵ２８ｂ及びインターホン子機１の子機ＣＰＵ１６の制御によって前述の第２の通話路が遮断され通話を終了させることができる。
【００５２】
次に、前述までの説明によれば、第２の解錠操作部２２ｂの操作機能のみを能動とする設定が予めなされている第２のインターホン親機２ｂにおいて、その解錠操作部２２ｂを使用して解錠操作を行うタイミングが、来訪者からの呼出しに応答して成立された通話時であったが、このタイミングに限定されるものではない。
【００５３】
例えば、インターホン子機１から第１、第２のインターホン親機２ａ、２ｂへの呼出しがない待受時や、同様な待受時で廊下先の在室者が住戸外の様子を監視するにあたって通話操作部２０ｂを操作し前述のような第２の通話路を形成させたモニタ監視時においても、第２の解錠操作部２２ｂを使用して同様な解錠操作を行うことができる。この操作タイミングによれば、誤って第１の解錠操作部２１ｂをワンプッシュ操作した場合であっても、この解錠操作部２１ｂの操作機能は非能動であるため、電気錠３が解錠することはなく、セキュリティを十分に確保できる。
【００５４】
前述までの説明から明らかなように、本発明の実施例によれば、例えば、在室者が来訪者との間で成立中の通話時においてワンプッシュ操作により電気錠３の解錠を行う操作機能（第１の解錠操作部２１ａ、２１ｂ）と、通話時のみならず例えば、待受時等において電気錠３を解錠させるために予め定められた電気錠解錠コードに対応する置数を入力して当該電気錠の解錠を行う操作機能（第２の解錠操作部２２ａ、２２ｂ）のように、電気錠３の解錠操作が行われるインターホン親機２ａ、２ｂの設置場所に対応させて、能動とされる操作機能を変更することができるため、セキュリティが十分に確保されるとともに、解錠操作を行う在室者の使い勝手が高められる。
【００５５】
本発明のインターホンシステムにおいては、特定の実施の形態をもって説明してきたが、この形態に限定されるものでなく、本発明の効果を奏する限り、これまで知られた如何なる構成の当該システムであっても採用できるということはいうまでもないことである。
【００５６】
具体的に、本発明の実施例においては、住戸外に設置される当該子機として１台のインターホン子機１を適用したが、この態様に限定されるものではない。例えば、住戸外の異なる場所に複数のインターホン子機１を設置して汎用ネットワーク４に接続し、これに対応させて複数の電気錠３を設けることもできる。この態様によれば、複数のインターホン子機１毎に個別の子機アドレスを割当てることで、特定の当該子機から第１、第２のインターホン親機２ａ、２ｂに呼出しがあった場合であっても、子機アドレスを指定して特定の当該子機との間で通話を成立させることができるばかりでなく、前述のような通話時のみならず待受時等においても、その操作機能が能動とされている第１の解錠操作部２１ａ、２１ｂ又は第２の解錠操作部２２ａ、２２ｂを使用して解錠操作を行うことで、特定の当該子機に接続された電気錠３を解錠させることができる。
【００５７】
また、本発明の実施例においては、第１、第２のインターホン親機２ａ、２ｂの第２の解錠操作部２２ａ、２２ｂの使用により入力される、電気錠解錠コードに対応した置数として、予め定められた暗証番号又はアルファベット等を適用したが、この態様に限定されるものではない。例えば、予め定められた鍵のイラストを置数として、表示部２３ａ、２３ｂの前面に配置されたタッチパネル上に表示し、このイラストをタッチ操作させることも好適とされる。
【００５８】
また、本発明の実施例においては、インターホン子機１の映像撮像部１１で生成された映像信号を第１、第２のインターホン親機２ａ、２ｂの表示部２３ａ、２３ｂに表示させたが、例えば、汎用ネットワーク４に不図示のサーバを接続することで、この映像信号をサーバで保存・管理することもできる。
【符号の説明】
【００５９】
１……インターホン子機
１６……子機ＣＰＵ
２ａ、２ｂ……第１、第２のインターホン親機（複数のインターホン親機）
２１ａ、２１ｂ……第１の解錠操作部
２１０……発光体
２２ａ、２２ｂ……第２の解錠操作部
２８ａ、２８ｂ……親機ＣＰＵ
３……電気錠
４……汎用ネットワーク
【図１】
0006043251.tif 000002